【手続補正書】
【提出日】平成26年1月28日(2014.1.28)
【手続補正１】
【補正対象書類名】特許請求の範囲
【補正対象項目名】全文
【補正方法】変更
【補正の内容】
【特許請求の範囲】
【請求項１】
自動車付属部品駆動システムで使用するベルト車装置において、
回転軸および外側ネジ形成面と、それらと係合するために付属部品の入力シャフトを受け入れるボアを有するシャフト係合ハブと、
前記シャフト係合ハブを受け入れるボアを設け、かつ内側結合面および外周ベルト係合面を設けたベルト車部材と、
前記シャフト係合ハブの前記外側ネジ形成面と係合する内側ネジ形成面を有したナットであって、前記シャフト係合ハブの前記回転軸に対して角度設定された外側結合面をも有する前記ナットと、
前記ベルト車部材と前記ナットとの間に設けられ、かつ前記ベルト車部材の半径方向外側に膨張可能なブレーキ部材であって、前記ナットの前記外側結合面と摩擦接触する第１結合面および前記ベルト車部材の前記内側結合面と摩擦接触する第２結合面を有する前記ブレーキ部材と
を備え、
前記ベルト車部材に作用するトルクが第１方向にある時、前記ブレーキ部材を前記ベルト車部材と共に回転させて前記ナットの外側結合面と前記ブレーキ部材の第１結合面との摩擦係合させることで、前記ブレーキ部材が、前記ベルト車部材に向け且つ半径方向の外側に向けたこのブレーキ部材の膨張によって前記ナットおよびブレーキ部材を前記ベルト車部材に摩擦結合して一体で回転させるために、前記ナットを回転させると共に、ナットの軸方向並進運動のために、前記シャフト係合ハブの前記外側ネジ形成面での前記ナットを前記ブレーキ部材の中に向けて進める作用をすることを特徴とするベルト車装置。
【請求項２】
前記第１方向とは逆の第２方向における前記ナットの回転によって、前記ナットの前記外側結合面と前記ブレーキ部材の前記第１結合面との結合が外れ、前記ナットおよび前記シャフト係合ハブが前記ベルト車部材に対して回転する請求項１に記載のベルト車装置。
【請求項３】
前記ナットの前記外側結合面および前記ブレーキ部材の前記第１結合面が、前記シャフト係合ハブの前記回転軸に対してほぼ５度〜ほぼ４５度の鋭角で延設された連動摩擦表面である請求項２に記載のベルト車装置。
【請求項４】
前記ブレーキ部材が、第１材料と第２材料の複合材料からなる複数の円弧状ブレーキシューを有し、前記第２材料を前記第１、第２の結合面に設けた請求項１に記載のベルト車装置。
【請求項５】
前記第１、第２の結合面がブレーキ材料からなる請求項４に記載のベルト車装置。
【請求項６】
さらに、一体回転するように前記シャフト係合ハブに結合したエンドキャップを有し、このエンドキャップの外周付近に、前記ベルト車部材の一部を受け取って、前記ベルト車装置の内外間に耐デブリ性の非直線経路を形成する溝を設けた請求項１に記載のベルト車装置。
【請求項７】
さらに、内側レースを前記シャフト係合ハブに結合し、そして外側レースを前記ベルト車部材に結合し、前記ブレーキ部材の前記第１結合面および前記ナットの前記外側結合面が結合を解いたときに、前記シャフト係合ハブを前記ベルト車部材に対して回転させるベアリング装置を有する請求項１に記載のベルト車装置。
【請求項８】
自動車付属部品駆動システムで使用するベルト車装置において、
回転軸および外側ネジ形成面を有するシャフト係合ハブ、
内側結合面、および外周ベルト係合面を有するベルト車部材、
外側結合面、および前記シャフト係合ハブの前記外側ネジ形成面と係合し、ネジ接続を形成する内側ネジ形成面を有するナット、および
前記ベルト車部材と前記ナットとの間に設けられ、かつ前記ナットの前記外側結合面と摩擦接触する第１結合面および前記ベルト車部材の前記内側結合面と摩擦接触する第２結合面を有するブレーキ部材であって、前記ナットの軸方向移動により前記ブレーキ部材が前記ベルト車部材の半径方向外側に膨張するまで、前記ナットが前記シャフト係合ハブの外側ネジ形成面の周りで回転するように、前記シャフト係合ハブに対して前記ブレーキ部材が初めに前記ベルト車部材と共に第１の方向に回転し、
前記ナットの前記外側結合面および前記ブレーキ部材の前記第１結合面両者を前記シャフト係合ハブの前記回転軸に対してほぼ５度〜ほぼ４５度の角度に設定したことを特徴とするベルト車装置。
【請求項９】
請求項１あるいは請求項８のいずれかに記載のベルト車装置において、
前記ナットの前記外側結合面および前記ブレーキ部材の前記第１結合面両者を前記シャフト係合ハブの前記回転軸に対してほぼ１０度〜ほぼ２０度の角度に設定したベルト車装置。
【請求項１０】
前記ブレーキ部材の前記第１結合面が、前記ブレーキ部材の前記第２結合面に対して平行ではない請求項８に記載のベルト車装置。
【請求項１１】
前記ベルト車部材の前記内側結合面が、前記シャフト係合ハブの前記回転軸に対して実質的に平行である請求項１０に記載のベルト車装置。
【請求項１２】
前記カバープレートが、前記ベルト車部材の一部を取り囲み、前記ベルト車装置の内外間に非直線経路を形成する軸方向に延設した外周フランジを有する請求項８に記載のベルト車装置。
【請求項１３】
自動車付属部品駆動システムで使用するベルト車装置において、
回転軸および外側ネジ形成面を有し、前記外側ネジ形成面より直径が大きく回転軸から離れた外側に伸びた肩部を有するシャフト係合ハブと、
内側ネジ形成面、および外側摩擦ベアリング面を有し、該内側ネジ形成面が前記シャフト係合ハブの前記外側ネジ形成面にネジ係合するナットと、
内側摩擦ベアリング面、および外側ベルト係合面を有するベルト車部材と、
第１面が前記ナットの前記外側摩擦ベアリング面に摩擦接触し、そして第２面が前記ベルト車部材の前記内側摩擦ベアリング面に摩擦接触するブレーキ部材であって、前記シャフト係合ハブの前記肩部と摩擦接触し且つ回転軸方向の内部向きに突き出た部分を有した前記ブレーキ部材とを有することを特徴とするベルト車装置。
【請求項１４】
前記回転軸を中心にして前記ナットを第１方向に回転させ、前記シャフト係合ハブとのネジ係合を介して前記ナットを前記回転軸にそって前記ブレーキ部材に向けて並進運動させて、前記ナットの外側摩擦ベアリング面と前記ブレーキ部材の前記第１面との間の摩擦力を強くし、そして前記第１方向とは逆の第２方向に前記ナットを回転させ、前記ナットを前記ブレーキ部材から離れるように並進運動させて、前記ナットの外側摩擦ベアリング面と前記ブレーキ部材の前記第１面との間の摩擦力を弱くする請求項１３に記載のベルト車装置。
【請求項１５】
請求項１あるいは請求項８または請求項１４のいずれか一項に記載のベルト車装置において、 
さらに、一体に回転するために前記シャフト係合ハブに結合するカバープレートと、前記カバープレートに係合させる第１端部と前記ナットに係合させる第２端部と有するトーションスプリングとを備え、
前記トーションスプリングが、前記ナットの前記第２方向への回転を抑止する作用をもつベルト車装置。
【請求項１６】
前記ナットの前記外側摩擦ベアリング面が、前記回転軸に対してほぼ５度〜ほぼ４５度の鋭角を形成する請求項１４に記載のベルト車装置。
【請求項１７】
前記ブレーキ部材が前記ナットの周囲に設けられた複数の円弧状ブレーキシューを有し、それぞれのブレーキシューが前記ネジ形成面に軸方向に運動している前記ナットに応答して半径方向に運動可能である請求項１３に記載のベルト車装置。
【請求項１８】
自動車付属部品駆動システムで使用するベルト車装置の製造方法において、 
回転軸および外側ネジ形成面と、それらと係合するために付属部品の入力シャフトを受け入れるボアを有するシャフト係合ハブを用意する工程、
前記シャフト係合ハブを受け入れるボアを設け、かつ内側結合面および外周ベルト係合面を設けたベルト車部材を用意する工程、
前記シャフト係合ハブの前記外側ネジ形成面と係合する内側ネジ形成面を有したナットであって、前記シャフト係合ハブの前記回転軸に対して角度設定された外側結合面も有する前記ナットを用意する工程、
前記ベルト車部材と前記ナットとの間に設けるブレーキ部材であって、前記ナットの軸方向移動により前記ブレーキ部材が前記ベルト車部材の半径方向外側に膨張するまで、前記ナットが前記シャフト係合ハブの外側ネジ形成面の周りで回転するように、前記シャフト係合ハブに対して前記ブレーキ部材が初めに前記ベルト車部材と共に第１の方向に回転し、前記ナットの前記外側結合面と摩擦接触する第１結合面および前記ベルト車部材の前記内側結合面と摩擦接触する第２結合面を有するブレーキ部材を用意する工程、および
前記ハブの前記外側ネジ形成面のネジピッチを選択し、前記ブレーキ部材の第１結合面に設けられる摩擦材料を選択し、そして前記ナットの前記外側結合面と前記ハブの前記回転軸とが形成する角度を選択し、前記ハブと前記ベルト車部材との係合を外して、前記ベルト車部材に対して一つの方向に前記ハブを回転させるクラッチとして動作できるように構成する工程からなることを特徴とするベルト車装置の製造方法。
【請求項１９】
さらに前記ネジピッチの選択、前記ブレーキ部材の第１結合面に設けられる摩擦材料の選択、そして前記ナットの前記外側結合面と前記回転軸とが形成する角度の選択を複合的に行って、前記ハブと前記ベルト車部材との係合を外し、前記ハブを相対的に回転させるために必要なトルクを最小化する請求項１８に記載の製造方法。
【請求項２０】
さらに前記ブレーキ部材の前記第１結合面と前記ナットの前記外側結合面との間の摩擦係数を選択する工程を有する請求項１８に記載の製造方法。
【手続補正２】
【補正対象書類名】図面
【補正対象項目名】図２
【補正方法】変更
【補正の内容】
【図２】
2013520633.tif 000001
【手続補正３】
【補正対象書類名】図面
【補正対象項目名】図３
【補正方法】変更
【補正の内容】
【図３】
2013520633.tif 000002